(57)【要約】【課題】本発明は、複数の充電電池、または充電電池を収納した携帯機器に、同時に充電を行うことが可能な充電装置に関するもので、充電電池、または携帯機器の損傷を抑制することを目的とする。【解決手段】本発明の充電装置は、上辺２と、この上辺２の左側端部から下方に伸ばした左側辺３と、上辺２の右側端部から下方に伸ばした右側辺４とを有する本体１と、この本体１を、前方視の状態で、上辺２が、左側辺３、および右側辺４の下部よりも後方側となる傾斜状態で自立保持させる保持体５と、本体１に取り付けられた複数の充電ポケット体６、７、８、９、１０よりなる充電体１１とを備えている。【選択図】図４
2019122067.tif 000002
【特許請求の範囲】
【請求項１】
上辺と、この上辺の左側端部から下方に伸ばした左側辺と、前記上辺の右側端部から下方に伸ばした右側辺とを有する本体と、
この本体を、前方視の状態で、前記上辺が、前記左側辺および前記右側辺の下部よりも後方側となる傾斜状態で自立保持させる保持体と、
前記本体に取り付けられた充電体とを備え、
前記充電体は、上面に第１の開口部を有する第１の充電部と、
この第１の充電部の第１の開口部よりも上方で、かつ、この第１の開口部よりも後方に配置された第２の開口部を有する第２の充電部と、
これらの第１、第２の充電部の後ろ側に配置され、前記第１、第２の充電部に通電するための通電部と、を有する構成とした充電装置。
【請求項２】
前記第１の充電部および前記第２の充電部は、それぞれの第１、第２の開口部から下方へと充電電池の下部を挿入する構成とし、この充電電池の挿入状態で、充電電池の上部を、この充電電池の下部よりも前方側に傾斜させる構成とした請求項１に記載の充電装置。
【請求項３】
前記第１の充電部は、前記第１の開口部の下方に第１の底部、
前記第２の充電部は、前記第２の開口部の下方に第２の底部を有し、
これらの第１、第２の底部は、それぞれの前方よりも後方側が上方になる傾斜面となった請求項２に記載の充電装置。
【請求項４】
前記本体は、前記上辺、前記左側辺、前記右側辺を有する逆Ｕ字状とし、前記左側辺、前記右側辺の下端部には、それぞれキャップを装着した請求項１から３のいずれか一つに記載の充電装置。
【請求項５】
前記第１、第２の充電部には、前記本体の前記左側辺、前記右側辺が貫通する貫通孔を有する請求項４に記載の充電装置。
【請求項６】
前記通電部は、複数の充電コンセントが差し込まれるプラグ受け体により構成した請求項１から５のいずれか一つに記載の充電装置。
【請求項７】
前記第１の充電部は、前記第１の開口部の側方に、第１の端子保持部を有し、
前記第２の充電部は、前記第２の開口部の側方に、第２の端子保持部を有する請求項１から６のいずれか一つに記載の充電装置。
【請求項８】
前記保持体は、Ｕ字状となっており、この保持体の両側において、上方に伸びた両側辺部分を、前記通電部の左右方向の外側に存在させた請求項１から７のいずれか一つに記載の充電装置。
【発明の詳細な説明】
【技術分野】
【０００１】
本発明は、複数の充電電池に、同時に充電を行うことが可能な充電装置に関するものである。
【背景技術】
【０００２】
業務用として複数の携帯機器を使用する事業所等では、一度に複数個の充電電池への充電を行う充電装置が用いられている。具体的には、この種、充電装置は、それぞれに充電電池、または充電電池を収納した状態の携帯機器を装着するために、上面が開口したポケット状の第１、第２の充電部を有する構造となっている（これに類似する先行文献としては下記特許文献１が存在する）。
【先行技術文献】
【特許文献】
【０００３】
【特許文献１】特開２０１３−２５５３７６号公報
【発明の概要】
【発明が解決しようとする課題】
【０００４】
上記従来の充電装置では、充電器本体に、上面が開口したポケット状の複数の第１、第２の充電部を設け、上方から、これらの第１、第２の充電部に、充電電池、または充電電池を収納した状態の携帯機器を装着することで、充電電池への充電を行うようになっている。
【０００５】
このような充電装置は、事業所のカウンターなどの所定の置き場所に設置され、日々、前記上面が開口したポケット状の第１、第２の充電部に、充電電池、または充電電池を収納した状態の携帯機器を上方から装着し、充電後は、これらの充電電池、または充電電池を収納した状態の携帯機器を、前記第１、第２の充電部から上方に引き抜くようになっている。
【０００６】
このような充電装置における課題は、充電電池への充電時に、充電電池、またはそれを収納した携帯機器に、不要に手や荷物が触れ、充電電池、携帯機器、または充電装置を損傷させてしまうという事である。
【０００７】
すなわち、このような充電装置は、上述のように、人の行交いが多い事業所のカウンターなどに設置され、しかも、その構造としては、充電電池、またはそれを収納した携帯機器は、その上部が、前記ポケット状の第１、第２の充電部から上方に突出した状態となっているので、不要に手や荷物が触れ易く、その結果として、充電電池、携帯機器、または充電装置を損傷させてしまうのである。
【０００８】
そこで、本発明は、充電電池、または携帯機器、あるいは充電装置自体の損傷を抑制することを目的とするものである。
【課題を解決するための手段】
【０００９】
そして、この目的を達成するために本発明の充電装置は、上辺と、この上辺の左側端部から下方に伸ばした左側辺と、前記上辺の右側端部から下方に伸ばした右側辺を有する本体と、この本体を、前方視の状態で、前記上辺が、前記左側辺、および右側辺の下部よりも後方側となる傾斜状態で自立保持させる保持体と、前記本体に取り付けられた充電体とを備え、前記充電体は、上面に第１の開口部を有する第１の充電部と、この第１の充電部の第１の開口部よりも上方で、かつ、この第１の開口部よりも後方に配置された第２の開口部を有する第２の充電部と、 これらの第１、第２の充電部の後ろ側に配置され、前記第１、第２の充電部に通電するための通電部と、を有する構成としたものである。
【００１０】
充電装置によれば、前記第１の充電部および前記第２の充電部は、それぞれの第１、第２の開口部から下方へと充電電池の下部を挿入する構成とし、この充電電池の挿入状態で、充電電池の上部を、この充電電池の下部よりも前方側に傾斜させる構成としてある。
【００１１】
充電装置によれば、前記第１の充電部は、前記第１の開口部の下方に第１の底部、前記第２の充電部は、前記第２の開口部の下方に第２の底部を有し、これらの第１、第２の底部は、それぞれの前方よりも後方側が上方になる傾斜面となっている。
【００１２】
充電装置によれば、前記本体は、前記上辺、前記左側辺、前記右側辺を有する逆Ｕ字状とし、前記左側辺、前記右側辺の下端部には、それぞれキャップを装着してある。
【００１３】
充電装置によれば、前記第１、第２の充電部には、前記本体の前記左側辺、前記右側辺が貫通する貫通孔を有している。
【００１４】
充電装置によれば、前記通電部は、複数の充電コンセントが差し込まれるプラグ受け体により構成されている。
【００１５】
充電装置によれば、前記第１の充電部は、前記第１の開口部の側方に、第１の端子保持部を有し、前記第２の充電部は、前記第２の開口部の側方に、第２の端子保持部を有している。
【００１６】
充電装置によれば、前記保持体は、Ｕ字状となっており、この保持体の両側において、上方に伸びた両側辺部分を、前記通電部の左右方向の外側に存在させてある。
【発明の効果】
【００１７】
以上のように本発明の充電装置は、上辺と、この上辺の左側端部から下方に伸ばした左側辺と、前記上辺の右側端部から下方に伸ばした右側辺を有する本体と、この本体を、前方視の状態で、前記上辺が、前記左側辺、および右側辺の下部よりも後方側となる傾斜状態で自立保持させる保持体と、前記本体に取り付けられた充電体とを備えている。
【００１８】
このため、第１、第２の充電部に、充電電池、またはそれを収納した携帯機器を装着した状態では、充電電池、またはそれを収納した携帯機器の上方は、本体の上辺でガードされた状態となり、その結果として、不要に手や荷物が触れ難く、これにより、充電電池、携帯機器、または充電装置の損傷を抑制することができる。また、本体の上辺は、充電装置を持ち運びする際の、持ち手としても活用することができ、極めて利便性の高いものとなる。
【図面の簡単な説明】
【００１９】
【図１】本発明の一実施形態にかかる充電装置の前方からの斜視図
【図２】同充電装置の正面図
【図３】同充電装置の分解斜視図
【図４】同充電装置に充電電池を装着した状態を示す前方からの斜視図
【図５】同充電装置に充電電池を装着した状態を示す正面図
【図６】同充電装置に充電電池を装着した状態を示す後方からの斜視図
【図７】同充電装置に充電電池を装着した状態を示す断面図
【発明を実施するための形態】
【００２０】
（実施の形態１）
以下、本発明の一実施形態にかかる充電装置を、添付図面を用いて説明する。
【００２１】
図１〜図３において、１は、金属製のパイプによって形成した本体で、この本体１は、設置面（例えば床面）に対して平行状態となる上辺２と、この上辺２の左側端部から下方に伸ばした左側辺３と、前記上辺２の右側端部から下方に伸ばした右側辺４を有する逆Ｕ字状となっている。
この本体１は、図１に示すように、保持体５によって、この本体１を、前方視の状態で、前記上辺２が、前記左側辺３、および右側辺４の下部よりも後方側となる傾斜状態で自立保持させられている。
また、本体１には、複数の充電部としての充電ポケット体６、７、８、９、１０よりなる充電体１１が装着されている。ここで、各充電ポケット体は、相対的に下方にあるものが第１の充電ポケット体であり、上方にあるものが第２の充電ポケット体である。したがって、例えば、充電ポケット体６を基準とすれば、この充電ポケット体６が第１の充電ポケット体であり、充電ポケット体７、８、９、１０が第２の充電ポケット体である。また、充電ポケット体７を基準とすれば、この充電ポケット体７が第１の充電ポケット体であり、充電ポケット体８、９、１０が第２の充電ポケット体である。
【００２２】
本実施形態では、複数の充電ポケット体６、７、８、９、１０によって充電体１１を構成したが、これらの充電ポケット体６、７、８、９、１０を一体化することで充電体１１を構成してもよく、下記にて詳述するが、充電体１１は本体１に固定された状態となっている。
また、この充電体１１の後ろ側には、複数のＡＣアダプター（図６の１２）が差し込まれるプラグ受け体により構成された通電部１３を備えている。
以下、各部について、詳細に説明を続ける。
【００２３】
本実施形態では、五つの充電ポケット体６、７、８、９、１０を、本体１の上下方向に装着することで充電体１１を構成したが、これらの充電ポケット体６、７、８、９、１０は、構造的には全く同じ構造となっているので、図面の煩雑化を避けるために、各部の符号は同じものを付すこととする。
【００２４】
充電ポケット体６、７、８、９、１０は、それぞれ合成樹脂によって形成され、それぞれの左右部分には、本体１の左側辺３、右側辺４が貫通する貫通孔１４を有する。
また、これら充電ポケット体６、７、８、９、１０の前面側には、それぞれ、左右に二つの充電ポケット１５が配置されている。
各充電ポケット１５は、上面に開口部１６が設けられ、またこの開口部１６に対向して下方には底部１７が設けられている。ここで、各充電ポケット体６、７、８、９、１０の開口部は、相対的に下方ある充電ポケット体の開口部が第１の開口部であり、上方にある充電ポケット体の開口部が第２の開口部である。したがって、例えば、充電ポケット体６の開口部を基準とすれば、この充電ポケット体６の開口部が第１の開口部であり、充電ポケット体７、８、９、１０の開口部が第２の開口部である。また、充電ポケット体７の開口部を基準とすれば、この充電ポケット体７の開口部が第１の開口部であり、充電ポケット体８、９、１０の開口部が第２の開口部である。
また、底部１７は、それぞれの前方よりも、後方が上方になる傾斜面となっている。
【００２５】
したがって、図４〜図７に示すように、充電ポケット１５の開口部１６から、充電電池１８の下部を、下方に挿入すると、充電電池１８の底面（図示していないが平面状となっている）が、充電ポケット１５の底部１７に当接し、その結果として、充電電池１８は、これらの図４〜図７に示すように、その下部よりも、上部の方が、前方側へと傾斜した状態で、充電ポケット１５に保持されることとなる。
このことは、極めて重要なことであり、最も上方の充電電池１８と、本体１の上辺２との間には、図４、図７に示すように大きな保持空間１９が生まれることになる。
つまり、本体１は上述のごとく、上辺２側が後方になるような傾斜状態で自立保持させられており、その状態で、充電電池１８の上部が前方に向けて傾斜状態で保持されているので、この間には、大きな保持空間１９が生まれ、ここに手を挿入して、上辺２を持って本体１を移動させることが簡単に行えるようになる。
【００２６】
また、充電ポケット体６、７、８、９、１０に充電電池１８を挿入するとき、または、そこから取り出すのは、前方側からとなるが、このときに充電電池１８の上部が前方に向けて傾斜状態で保持される構造であれば、作業性が極めて良いものとなる。つまり、最下段の充電ポケット体６が手前（前方）、最上段の充電ポケット体１０が後方となっているので、充電ポケット体６、７、８、９、１０への充電電池１８の挿入作業や、そこから取り出す作業は、この充電装置の前にたたずんで行うことが出来、極めて利便性の高いものとなる。
これに対して、最下段の充電ポケット体６が奥（後方）、最上段の充電ポケット体１０が前方となっていると、作業としては、身を屈めて行う必要があり、不便なものとなる。
【００２７】
次に、五つの充電ポケット体６、７、８、９、１０について説明する。
これら五つの充電ポケット体６、７、８、９、１０の本体１への組立は、図３から理解されるように、先ず、充電ポケット体１０の貫通孔１４に、本体１の左側辺３と、右側辺４を挿入し、次に、この充電ポケット体１０を、図１、図２のように上方へと移動させ、その状態で、図３に示すねじ２０によって本体１の左側辺３と、右側辺４に固定する。
その後、充電ポケット体９、８、７、６と順次、その貫通孔１４に、本体１の左側辺３と、右側辺４を挿入し、次に、充電ポケット体９、８、７、６を、図１、図２のように上方へと移動させる。
【００２８】
この状態では、本体１の左側辺３下部と、右側辺４下部が、最下段の充電ポケット体６の貫通孔１４よりも下方へと突出しているので、この左側辺３下部と、右側辺４下部にキャップ２１を装着し、このキャップ２１を図３、図７に示すねじ２２で、本体１の左側辺３下部と、右側辺４下部に固定する。
そして、この組立作業で、五つの充電ポケット体６、７、８、９、１０は、本体１に固定されることとなる。
【００２９】
つぎに、保持体５は、図３の示すように、Ｕ字状となっており、両側の端部を、図７に示すように、充電ポケット体９の背面側に設けた穴２３に挿入し、次に、穴２３の壁面を貫通してねじ２４で、充電ポケット体９に固定する。
そして、この組立作業により、本体１は、上述のように、保持体５により、その上辺２が、前記左側辺３、および右側辺４の下部よりも後方側となる傾斜状態で自立保持させられるのである。
【００３０】
次に、プラグ受け体により構成された通電部１３は、その前面側の上方に設けられた金具２５と、前面側の下方に設けられた金具２６部分を、ねじ２７、２８によって充電ポケット体１０、７に固定されるようになっている。
この通電部１３は、上述のごとく、プラグ受け体により構成され、図６のごとく左右、および背面側に挿入部２９を有しているので、この挿入部２９に、ＡＣアダプター１２のプラグ（図示せず）が挿入されるようになっている。
【００３１】
また、ＡＣアダプター１２の配線３０は、この図６に示すように、充電ポケット体６、７、８、９、１０の後方から、この充電ポケット体６、７、８、９、１０に設けた貫通孔３１を前方側へと貫通して引き出され、つぎに先端の端子３２が充電電池１８の上面に設けた端子へと挿入され、これにより充電電池１８への充電が行われる。
【００３２】
なお、充電電池１８の前面側の上下方向の中心よりも上方には、充電確認部３３が設けられており、充電電池１８の充電時において、この充電確認部３３を目視することが出来るようにしている。
つまり、充電電池１８を充電ポケット１５に挿入した時でも、充電確認部３３は、充電ポケット１５の開口部１６よりも上方に位置し、常に充電状態を確認することが出来るようにしているのである。
【００３３】
また、充電ポケット１５の開口部１６側方で、貫通孔３１の近傍には、端子保持部３４を設けているので、充電ポケット１５の充電電池１８に充電を行わない場合には、ＡＣアダプター１２の端子３２は、この端子保持部３４に装着し、端子３２に異物が不用意に触れないようにしている。
【００３４】
以上のように、本実施形態の充電装置は、上辺２と、この上辺２の左側端部から下方に伸ばした左側辺３と、前記上辺２の右側端部から下方に伸ばした右側辺４を有する本体１と、この本体１を、前方視の状態で、前記上辺２が、前記左側辺３、および右側辺４の下部よりも後方側となる傾斜状態で自立保持させる保持体５と、前記本体１に取り付けられた複数の充電ポケット体６、７、８、９、１０よりなる充電体１１とを備えている。
このため、充電ポケット体６、７、８、９、１０に、充電電池１８、またはそれを収納した携帯機器（図示せず）を装着した状態では、充電電池１８、またはそれを収納した携帯機器の上方は、本体１の上辺２でガードされた状態となり、その結果として、不要に手や荷物が触れ難く、これにより、充電電池１８、携帯機器、または充電装置の損傷を抑制することができる。
【００３５】
また、本体１の上辺２は、充電装置を持ち運びする際の、持ち手としても活用することができ、極めて利便性の高いものとなる。
【００３６】
また、この本体１を、前方視の状態で、前記上辺２が、前記左側辺３、および右側辺４の下部よりも後方側となる傾斜状態で自立保持させる保持体５は、複数のＡＣアダプター（図６の１２）が差し込まれるプラグ受け体により構成された通電部１３を、左右からガードする作用も有し、その結果としてＡＣアダプター１２や、通電部１３の損傷や、通電部１３からのＡＣアダプター１２はずれを抑制できる。
つまり、保持体５はＵ字状となっており、図６に示すように、この保持体５の両側辺（両側において、上方に伸びた部分５ａ）は、複数のＡＣアダプター１２が差し込まれるプラグ受け体により構成された通電部１３の左右の外側に存在するので、ＡＣアダプター１２や、通電部１３の損傷や、通電部１３からのＡＣアダプター１２はずれを抑制できるのである。
【００３７】
以上、本発明の実施形態を詳述したが、本発明は上記実施形態に限定されるものではない。そして本発明は、特許請求の範囲に記載された事項を逸脱することがなければ、種々の設計変更を行うことが可能である。本発明の充電装置は、充電電池や、充電電池を収納した携帯機器への充電に活用される。
【符号の説明】
【００３８】
１    本体
２    上辺
３    左側辺
４    右側辺
５    保持体
５ａ  上方に伸びた部分
６    充電ポケット体
７    充電ポケット体
８    充電ポケット体
９    充電ポケット体
１０  充電ポケット体
１１  充電体
１２  ＡＣアダプター
１３  通電部
１４  貫通孔
１５  充電ポケット
１６  開口部
１７  底部
１８  充電電池
１９  保持空間
２０  ねじ
２１  キャップ
２２  ねじ
２３  穴
２４  ねじ
２５  金具
２６  金具
２７  ねじ
２８  ねじ
２９  挿入部
３０  配線
３１  貫通孔
３２  端子
３３  充電確認部
３４  端子保持部
【図１】
2019122067.tif 000003
【図２】
2019122067.tif 000004
【図３】
2019122067.tif 000005
【図４】
2019122067.tif 000006
【図５】
2019122067.tif 000007
【図６】
2019122067.tif 000008
【図７】
2019122067.tif 000009